(57)【要約】      （修正有）【課題】所定の機能に対してされた制限を、適切に解除することが可能な情報処理装置等を提供する。【解決手段】複数の機能のうち利用者によって選択される機能に応じた処理を実行する装置に接続された情報処理装置であって、複数の機能から第１の機能と第２の機能とを設定する設定手段と、第１の機能を制限する制限手段と、を備える。制限手段は、利用者により第２の機能が選択された場合には、第１の機能の制限を解除する。【選択図】図１０
2020194510.tif 000002
【特許請求の範囲】
【請求項１】
複数の機能のうち利用者によって選択される機能に応じた処理を実行する装置に接続された情報処理装置であって、
前記複数の機能から第１の機能と第２の機能とを設定する設定手段と、
前記第１の機能を制限する制限手段と、
を備え、
前記制限手段は、利用者により前記第２の機能が選択された場合には、前記第１の機能の制限を解除することを特徴とする情報処理装置。
【請求項２】
前記第１の機能と、前記第２の機能とは連動する機能であることを特徴とする請求項１に記載の情報処理装置。
【請求項３】
前記制限手段は、前記利用者が第１の機能を選択できないように制限することを特徴とする請求項１又は２に記載の情報処理装置。
【請求項４】
前記制限手段は、前記利用者により第２の機能が選択された場合には、前記第１の機能が選択されることを特徴とする請求項３に記載の情報処理装置。
【請求項５】
前記制限手段は、前記利用者により第２の機能が選択された場合には、前記第１の機能を選択可能にすることを特徴とする請求項３に記載の情報処理装置。
【請求項６】
前記制限手段は、前記利用者が第１の機能に対して、所定のパラメータしか選択できないように制限することを特徴とする請求項１に記載の情報処理装置。
【請求項７】
複数の機能のうち利用者によって選択される機能に応じた処理を実行する装置に接続された情報処理装置の制御方法であって、
前記複数の機能から第１の機能と第２の機能とを設定する設定ステップと、
前記第１の機能を制限する制限ステップと、
を備え、
前記制限ステップは、利用者により前記第２の機能が選択された場合には、前記第１の機能の制限を解除することを特徴とする制御方法。
【請求項８】
複数の機能のうち利用者によって選択される機能に応じた処理を実行する装置に接続された情報処理装置のプログラムであって、
前記複数の機能から第１の機能と第２の機能とを設定する設定機能と、
前記第１の機能を制限する制限機能と、
を備え、
前記制限機能は、利用者により前記第２の機能が選択された場合には、前記第１の機能の制限を解除することを特徴とするプログラム。
【発明の詳細な説明】
【技術分野】
【０００１】
本発明は、情報処理装置等に関する。
【背景技術】
【０００２】
近年の画像形成装置は様々な機能を搭載しており、画像形成に使用する機能を適切に設定するための技術も提案されている。
【０００３】
例えば、サーバ装置と端末装置と画像形成装置とが接続されたネットワークにおいて、サーバ装置は、端末装置にインストールされたプリンタドライバで設定値の変更を許可する設定項目を制限（決定）する技術が提案されている（例えば、特許文献１参照）。
【０００４】
また、複数の設定項目に設定された設定値間に不整合（コンフリクト）が発生した場合、あとから設定された設定値によって、他の設定項目の設定値をコンフリクトが発生しない設定値に変更し、該設定値の変更を不能とする技術が提案されている（例えば、特許文献２、特許文献３参照）。
【先行技術文献】
【特許文献】
【０００５】
【特許文献１】特開２０１０−０３９９２６号公報
【特許文献２】特許第５１０６６６０号公報
【特許文献３】特許第５０２５６８４号公報
【発明の概要】
【発明が解決しようとする課題】
【０００６】
特許文献１と特許文献２及び特許文献３とによれば、設定値の変更を許可する設定項目を制限したうえで、コンフリクトが発生しない設定値に変更することが可能である。しかし、設定値の変更を許可する設定項目の制限が解除できないため、コンフリクトが発生しないように変更された設定値を別の設定値に変更できない場合がある。その結果、利用者は使用を所望する機能を適切に選択できないという問題が生じる。
【０００７】
本願は上述した課題に鑑み、所定の機能に対してされた制限を、適切に解除することが可能な情報処理装置等を提供することを目的とする。
【課題を解決するための手段】
【０００８】
上述した課題を解決するために、本発明の情報処理装置は、
複数の機能のうち利用者によって選択される機能に応じた処理を実行する装置に接続された情報処理装置であって、
前記複数の機能から第１の機能と第２の機能とを設定する設定手段と、
前記第１の機能を制限する制限手段と、
を備え、
前記制限手段は、利用者により前記第２の機能が選択された場合には、前記第１の機能の制限を解除することを特徴とする。
【０００９】
本発明の制御方法は、
複数の機能のうち利用者によって選択される機能に応じた処理を実行する装置に接続された情報処理装置の制御方法であって、
前記複数の機能から第１の機能と第２の機能とを設定する設定ステップと、
前記第１の機能を制限する制限ステップと、
を備え、
前記制限ステップは、利用者により前記第２の機能が選択された場合には、前記第１の機能の制限を解除することを特徴とする。
【００１０】
本発明のプログラムは、
複数の機能のうち利用者によって選択される機能に応じた処理を実行する装置に接続された情報処理装置のプログラムであって、
前記複数の機能から第１の機能と第２の機能とを設定する設定機能と、
前記第１の機能を制限する制限機能と、
を備え、
前記制限機能は、利用者により前記第２の機能が選択された場合には、前記第１の機能の制限を解除することを特徴とする。
【発明の効果】
【００１１】
本発明によれば、所定の機能に対してされた制限を、適切に解除することが可能となる。
【図面の簡単な説明】
【００１２】
【図１】第１実施形態における印刷システム全体構成を説明するための図である。
【図２】第１実施形態におけるサーバ装置の機能構成を説明するための機能ブロック図である。
【図３】第１実施形態におけるレジストリデータを説明するための図である。
【図４】第１実施形態における情報処理装置の機能構成を説明するための機能ブロック図である。
【図５】第１実施形態における選択肢定義データを説明するための図である。
【図６】第１実施形態における制限定義データを説明するための図である。
【図７】第１実施形態における画像形成装置の機能構成を説明するための機能ブロック図である。
【図８】第１実施形態におけるサーバ装置のメイン処理を説明するためのフロー図である。
【図９】第１実施形態における端末装置のメイン処理を説明するためのフロー図である。
【図１０】第１実施形態における印刷設定画面表示処理説明するためのフロー図である。
【図１１】第１実施形態における動作例を示す図である。
【図１２】第１実施形態における動作例を示す図である。
【図１３】第１実施形態における動作例を示す図である。
【図１４】第１実施形態における動作例を示す図である。
【図１５】第１実施形態における動作例を示す図である。
【図１６】第２実施形態における選択肢定義データを説明するための図である。
【図１７】第２実施形態における制限定義データを説明するための図である。
【図１８】第２実施形態における動作例を示す図である。
【図１９】第２実施形態における動作例を示す図である。
【図２０】第２実施形態における動作例を示す図である。
【図２１】第３実施形態における印刷設定画面表示処理説明するためのフロー図である。
【図２２】第３実施形態における動作例を示す図である。
【図２３】第３実施形態における動作例を示す図である。
【発明を実施するための形態】
【００１３】
以下、本発明の実施の形態について、図面を参照して説明する。なお、本実施形態では、一例として、本発明の情報処理装置を適用した端末装置を含む印刷システムについて説明する。以下に記載した実施の形態は、本発明を実現するための一例であり、実施の形態に記載した内容に本発明の内容が限定されるものではない。
【００１４】
［１．第１実施形態］
［１．１  全体構成］
まず、本実施形態の印刷システム１の全体構成について、図１に基づいて説明する。図１に示すように、サーバ装置１０と、端末装置２０と、画像形成装置３０とが、ネットワークＮＷを介して接続されて構成される。ネットワークＮＷは、例えば、ＬＡＮ（Local Area Network）である。
【００１５】
サーバ装置１０は、端末装置２０を管理する情報処理装置である。サーバ装置１０は、例えば、ＰＣ（Personal Computer）によって構成される。サーバ装置１０と端末装置２０とは、例えば、Ａｃｔｉｖｅ  Ｄｉｒｅｃｔｏｒｙによって管理される。
【００１６】
端末装置２０は、画像形成装置３０に対して、画像形成装置３０が出力可能な画像データを送信する情報処理装置である。端末装置２０は、例えば、ＰＣによって構成されるが、タブレットや、スマートフォンといった装置によって構成されてもよい。また、端末装置２０は、図１の２０ａ、２０ｂ、２０ｃのように、ネットワークＮＷに複数接続されてもよい。
【００１７】
画像形成装置３０は、外部から入力される画像データに基づく画像を記録用紙等に形成したりすることで印刷を実行する装置であり、いわゆる複合機と呼ばれる装置である。
【００１８】
画像形成装置３０は、両面印刷機能、製本機能、ポスター機能といった複数の機能を備える。画像形成装置３０は、利用者によって選択された機能や、設定されたパラメータに基づいて処理を実行し、画像を形成する。
【００１９】
［１．２  機能構成］
［１．２．１  サーバ装置］
サーバ装置１０の機能構成について、図２を参照して説明する。図２に示すように、サーバ装置１０は、制御部１００と、表示部１１０と、操作入力部１２０と、通信部１３０と、記憶部１４０とを備えて構成されている。
【００２０】
制御部１００は、サーバ装置１０の全体を制御するための機能部である。制御部１００は、各種プログラムを読み出して実行することにより各種機能を実現しており、１又は複数の演算装置（例えば、ＣＰＵ（Central Processing Unit））により構成されている。
【００２１】
表示部１１０は、利用者に各種情報を表示するための機能部であり、例えばＬＣＤ（Liquid crystal display）や、有機ＥＬ（Electro-luminescence）ディスプレイ等により構成される。
【００２２】
操作入力部１２０は、利用者が各種操作を行う為の機能部である。操作入力部１２０は、例えば、マウス、キーボードといった種々の操作装置によって構成される。
【００２３】
通信部１３０は、サーバ装置１０が外部の装置と通信を行うための機能部である。例えば、有線／無線ＬＡＮで利用されるＮＩＣ（Network Interface Card）等の通信モジュールにより構成される。
【００２４】
記憶部１４０には、サーバ装置１０の設定を示すデータであるレジストリデータ１４２と、グループポリシー変更プログラム１４４と、グループポリシー適用プログラム１４６とが記憶される。
【００２５】
レジストリデータ１４２は、サーバ装置１０に関する全体的な設定を示す設定データである。本実施形態では、設定データとして、Ｗｉｎｄｏｗｓ（登録商標）によって管理されるレジストリに記憶されているデータ（レジストリデータ）を用いる。
【００２６】
本実施形態では、レジストリデータ１４２は、画像形成装置３０が実行可能な機能のうち、制限する機能や、設定の許可をする機能の情報を記憶する。制限する機能とは、選択又は不選択を強制したり、所定のパラメータしか選択できないようにしたりする機能をいう。また、設定の許可をする機能とは、選択又は不選択の設定を許可する機能をいう。
【００２７】
図３（ａ）は、レジストリデータ１４２の例を示した図である。レジストリは階層構造を持ったデータベースであり、それぞれの階層はレジストリキーによって識別される。図３（ａ）は、レジストリデータ１４２のうち、画像形成装置３０の印刷に関する機能について規定した「PrintSettings」というレジストリキーの値を表示している状態を示す。図３（ａ）に示すように、１つのレジストリキーに対して１又は複数の値が記憶される。例えば、レジストリキー「PrintSettings」の値としては、例えば、Ｄ１００に示すように「ForcedDuplex=0x00000001(1)」といった値（フラグ）や、Ｄ１０２に示すように、「PermissionBooklet=0x00000001(1)」といった値が記憶される。
【００２８】
レジストリキーの値が示す内容は、レジストリキーの値を読み出すプログラムによって解釈される。図３（ｂ）及び図３（ｃ）は、レジストリキーの値として取り得る値と内容の例を示した表である。図３（ｂ）に示すように、「ForcedDuplex=0x00000000(0)」の値は、画像形成装置３０が備える両面印刷機能の選択を強制する制限をＯＦＦにすることを示す。一方で、「ForcedDuplex=0x00000001(1)」の値は、画像形成装置３０が備える両面印刷機能の選択を強制する制限をＯＮにすることを示す。
【００２９】
また、図３（ｃ）に示すように、「PermissionBooklet=0x00000000(0)」という値は、両面印刷機能の選択が強制されているときに、画像形成装置３０が備える製本機能に対する設定を許可しないことを示す。一方で、「PermissionBooklet=0x00000001(1)」という値は、両面印刷機能の選択が強制されているときに、画像形成装置３０が備える製本機能に対する設定を許可することを示す。
【００３０】
本実施形態では、画像形成装置３０が実行可能な機能のうち、制限する機能を第１の機能という。また、設定の許可をする機能を第２の機能という。図３（ａ）の例では、第１の機能が両面印刷機能であり、第２の機能が製本機能である。
【００３１】
グループポリシー変更プログラム１４４は、画像形成装置３０が実行する機能の制限や、画像形成装置３０が実行する機能に対する設定の許可の設定や変更を行うグループポリシー変更画面を表示するプログラムである。グループポリシー変更プログラム１４４は、例えば、Ａｃｔｉｖｅ  Ｄｉｒｅｃｔｏｒｙの機能であるグループポリシーのエディット機能によって実現される。
【００３２】
グループポリシー適用プログラム１４６は、グループポリシー変更プログラム１４４によって変更されたグループポリシーを、端末装置２０に適用するプログラムである。グループポリシー適用プログラム１４６は、例えば、Ａｃｔｉｖｅ  Ｄｉｒｅｃｔｏｒｙの機能であるグループポリシーを適用する機能によって実現される。
【００３３】
［１．２．２  端末装置］
端末装置２０の機能構成について、図４を参照して説明する。図４に示すように、端末装置２０は、制御部２００と、表示部２１０と、操作入力部２２０と、通信部２３０と、記憶部２４０とを備えて構成されている。
【００３４】
制御部２００は、端末装置２０の全体を制御するための機能部である。制御部２００は、各種プログラムを読み出して実行することにより各種機能を実現しており、１又は複数の演算装置（例えば、ＣＰＵ）により構成されている。
【００３５】
表示部２１０は、利用者に各種情報を表示するための機能部であり、例えばＬＣＤや、有機ＥＬディスプレイ等により構成さる。
【００３６】
操作入力部２２０は、利用者が各種操作を行う為の機能部である。操作入力部２２０は、例えば、マウス、キーボードといった種々の操作装置によって構成される。
【００３７】
通信部２３０は、端末装置２０が外部の装置と通信を行うための機能部である。例えば、無線ＬＡＮで利用されるＮＩＣ等の通信モジュールにより構成される。
【００３８】
記憶部２４０は、端末装置２０の動作に必要な各種プログラムや、各種データを記憶する機能部である。記憶部２４０は、例えば、半導体メモリであるＳＳＤや、ＨＤＤ等により構成される。
【００３９】
記憶部２４０には、端末装置２０の設定を示すデータであるレジストリデータ２４２と、プリンタドライバ２４４と、選択肢定義データ２４６と、制限定義データ２４８とが記憶される。
【００４０】
レジストリデータ２４２は、端末装置２０に関する全体的な設定を示す設定データである。本実施形態では、設定データとして、Ｗｉｎｄｏｗｓによって管理されるレジストリに記憶されているデータ（レジストリデータ）を用いる。レジストリデータ２４２は、レジストリデータ１４２と同様に階層構造を持ったデータベースである。
【００４１】
プリンタドライバ２４４は、利用者によって作成・編集された文章データやプレゼンテーションデータ等を、画像形成装置３０が画像形成可能な画像データに変換する機能を備えるプログラムである。また、プリンタドライバ２４４は、画像形成装置３０で画像データを出力する際に実行する機能の選択やパラメータの設定を行う印刷設定画面を表示部２１０に表示する機能を備える。さらに、プリンタドライバ２４４は、印刷設定画面においてされた設定の内容を印刷設定情報に変換し、印刷設定情報と画像データとを画像形成装置３０に送信する機能を備える。
【００４２】
選択肢定義データ２４６は、印刷設定画面に表示する設定項目と、利用者が選択可能な選択肢を定義したデータである。選択肢定義データ２４６は、例えば、図５に示すように、設定項目名（例えば、「両面印刷」）と、選択肢（例えば、「なし、長辺とじ、短辺とじ」）とを含んで構成される。
【００４３】
本実施形態では、画像形成装置３０が備える機能の単位で、設定項目を表示することとして説明する。例えば、設定項目名が「両面印刷」である設定項目は両面印刷機能に関する設定を行う設定項目であり、設定項目名が「製本」である設定項目は製本機能に関する設定を行う設定項目である。また、本実施形態では、選択肢のうち「なし」は、その機能を選択しないことを示し、「あり」はその機能を選択することを示す。「なし」及び「あり」以外の選択肢は、その機能を選択し、さらにその機能のパラメータとして、選択された選択肢の値を用いることを示す。
【００４４】
また、選択肢定義データ２４６には、機能が選択された場合に、他の設定項目の設定が可能か否かを定義した設定可否情報が記憶される。
【００４５】
具体的には、図５のＤ１０６は、設定項目名が「両面印刷」である設定項目において、利用者は選択肢として「なし」「長辺とじ」「短辺とじ」の何れかが選択可能であることを示す。選択肢の中から「長辺とじ」が選択された場合は、両面印刷機能を選択し、パラメータを「長辺とじ」とする設定がされたことを表す。また、「長辺とじ」「短辺とじ」が選択された場合は、製本機能及びポスター機能に関する設定ができないことを示す。具体的には、設定項目名が「両面印刷」である設定項目において「長辺とじ」や「短辺とじ」された場合は、設定項目名が「製本」である設定項目や、設定項目名が「ポスター」である設定項目の設定の変更をできなくする。ある機能が選択された場合に、設定できなくなる機能は、例えば、同時に選択できない機能（ある機能の選択がされたときに連動して選択できなくなる機能）であったり、同時に選択するとユーザに不都合が生じる機能であったりする。
【００４６】
制限定義データ２４８は、所定の機能の選択が強制された場合に、その制限に連動して他の機能に対して及ぶ制限を定義したデータである。例えば、図６のＤ１０８は、両面印刷機能の選択が強制される場合は、画像形成装置３０が画像を形成する記録用紙のサイズを選択する原稿サイズ機能に対するパラメータとして、両面印刷できない用紙サイズを設定できないことを示す。また、図６のＤ１１０は、両面印刷機能の選択が強制される場合は、製本機能に対する設定ができないことを示す。
【００４７】
［１．２．３  画像形成装置］
画像形成装置３０の機能構成について、図７を参照して説明する。図７に示すように、画像形成装置３０は、制御部３００と、画像入力部３１０と、画像処理部３２０と、画像形成部３３０と、表示部３４０と、操作入力部３５０と、通信部３６０と、記憶部３７０とを備えて構成されている。
【００４８】
制御部３００は、画像形成装置３０の全体を制御するための機能部である。制御部３００は、各種プログラムを読み出して実行することにより各種機能を実現しており、１又は複数の演算装置（例えば、ＣＰＵ）により構成されている。
【００４９】
画像入力部３１０は、画像形成装置３０に入力される画像データを読み取るための機能部である。例えば、スキャナといった原稿読取装置接続され、原稿読取装置から出力される画像データを入力する。また、ＵＳＢ（Universal Serial Bus）メモリや、ＳＤカード等の記憶媒体から画像データを入力してもよい。
【００５０】
画像処理部３２０は、画像データに各種画像処理を施す機能部である。例えば、画像データの鮮鋭化処理を行ったり、色変換処理を行ったりする。
【００５１】
画像形成部３３０は、画像データ記憶領域３７２に記憶された画像データを、印刷設定情報記憶領域３７４に記憶された印刷設定情報に基づき、記録媒体（例えば、記録用紙）に形成するための機能部である。例えば、電子写真方式を利用したレーザプリンタ等により構成されている。
【００５２】
表示部３４０は、利用者に各種情報を表示するための機能部である。例えば、ＬＣＤ等により構成されている。また、操作入力部３５０は、利用者が各種操作を行うための機能部である。例えば、表示部３４０の上に重ねて設けられるタッチパネルによって構成される。タッチパネルによるタッチの検出は、静電誘導方式であったり、感圧方式であったり、公知の技術によって実現する。なお、操作入力部３５０は、ハードキーによって実現してもよいし、タッチパネルとハードキーとを組み合わせてもよい。
【００５３】
通信部３６０は、画像形成装置３０が外部の装置と通信を行うための機能部である。例えば、無線ＬＡＮで利用されるＮＩＣ等の通信モジュールにより構成される。
【００５４】
記憶部３７０は、画像形成装置３０の動作に必要な各種プログラムや、各種データを記憶する機能部である。記憶部３７０は、例えば、半導体メモリであるＳＳＤや、ＨＤＤ等により構成される。
【００５５】
記憶部３７０には、端末装置２０から受信した画像データを記憶する画像データ記憶領域３７２と、端末装置２０から受信した印刷設定情報を記憶する印刷設定情報記憶領域３７４とが確保される。画像データと印刷設定情報とは対応付けて記憶され、画像データは、対応する印刷設定情報に基づき記録媒体に形成される。
【００５６】
［１．３  処理の流れ］
［１．３．１  サーバ装置の処理の流れ］
本実施形態における処理の流れを、図を参照して説明する。はじめに、サーバ装置１０の処理の流れについて、図８を参照して説明する。
【００５７】
制御部１００は、利用者によってグループポリシー変更プログラム１４４を実行させる操作がされたか否かを判定する（ステップＳ１０２）。グループポリシー変更プログラム１４４を実行させる操作がされた場合は、制御部１００は、グループポリシー変更プログラム１４４を実行することで、表示部１１０にグループポリシー変更画面を表示する（ステップＳ１０２；Ｙｅｓ→ステップＳ１０４）。制御部１００は、利用者の操作に基づき、画像形成装置３０の機能のうち、第１の機能と第２の機能との設定を行う（ステップＳ１０６）。
【００５８】
制御部１００は、利用者によって適用操作がされた場合は、グループポリシー変更画面において設定された内容を端末装置２０に適用する（ステップＳ１０８；Ｙｅｓ→ステップＳ１１０）。適用操作は、例えば、グループポリシー変更画面に表示された「適用」ボタンが、利用者によって選択される操作である。また、グループポリシーを端末装置２０に適用する処理として、制御部１００は、グループポリシー変更画面において設定された内容をレジストリデータ１４２にレジストリキーの値として記憶する。そして、制御部１００は、グループポリシー適用プログラム１４６を実行し、レジストリデータ１４２に記憶された印刷に関する機能について規定したレジストリキーの値を、端末装置２０に送信する。
【００５９】
つづいて、制御部１００は、利用者によってグループポリシー変更プログラム１４４を終了させる操作である終了操作がされた場合は、グループポリシー変更プログラム１４４を終了する（ステップＳ１１２；Ｙｅｓ→ステップＳ１１４）。終了操作とは、例えば、グループポリシー変更画面に表示された「ＯＫ」ボタンや「キャンセル」ボタンが利用者によって選択される操作である。なお、制御部１００は「ＯＫ」ボタンが選択された場合は端末装置２０に対してグループポリシーを適用した上で終了し、「キャンセル」ボタンが選択された場合は端末装置２０に対してグループポリシーを適用しないで終了してもよい。終了操作がされない場合は、ステップＳ１０６へ戻る（ステップＳ１１２；Ｎｏ→ステップＳ１０６）。
【００６０】
［１．３．２  端末装置の処理の流れ］
つづいて、端末装置２０の処理の流れについて、図９を参照して説明する。はじめに、制御部２００は、サーバ装置１０から、グループポリシーが適用されたか否かを判定する（ステップＳ１３２）。グループポリシーが適用されたか否かは、例えば、制御部２００がサーバ装置１０に対して問い合わせを行うことで判定する。なお、サーバ装置１０から印刷に関する機能について規定したレジストリキーの値を受信した場合にグループポリシーが適用されたと判定してもよい。
【００６１】
グループポリシーが適用された場合は、制御部２００は、第１の機能と第２の機能とを設定する（ステップＳ１３２；Ｙｅｓ→ステップＳ１３４）。例えば、制御部２００は、サーバ装置１０から受信したレジストリキーの値をレジストリデータ２４２に記憶する。このようにすることで、サーバ装置１０と端末装置２０とで、印刷に関する機能について規定したレジストリキーの値が共有され、サーバ装置１０で設定された第１の機能と第２の機能とが、端末装置２０にも設定される。
【００６２】
つづいて、制御部２００は、利用者によって、印刷設定画面を表示する操作がされたか否かを判定する（ステップＳ１３６）。印刷設定画面を表示する操作がされた場合は、制御部２００は、印刷設定画面を表示する処理（印刷設定画面表示処理）を実行する（ステップＳ１３６；Ｙｅｓ→ステップＳ１３８）。印刷設定画面表示処理については、図１０を参照して説明する。
【００６３】
はじめに、制御部２００は、プリンタドライバ２４４が備える印刷設定画面を表示する機能を実行し、表示部２１０に印刷設定画面を表示する（ステップＳ１５２）。具体的には、制御部２００は、選択肢定義データ２４６を読み出し、設定項目毎に選択肢を表示するリストを生成し、生成したリストを印刷設定画面の所定の位置に配置した印刷設定画面を表示する。
【００６４】
つづいて、制御部２００は、第１の機能と第２の機能とを特定する（ステップＳ１５４）。例えば、制御部２００は、レジストリデータ２４２を参照し、両面印刷機能の選択を強制する制限をＯＮにすることを示す値が記憶されていた場合は、制御部２００は、第１の機能が両面印刷機能であることを特定する。同様に、レジストリデータ２４２を参照し、製本機能に対する設定を許可することを示す値が記憶されていた場合は、制御部２００は、第２の機能が製本機能であることを特定する。
【００６５】
つづいて、制御部２００は、レジストリデータ２４２に記憶された値の内容に基づき、印刷設定画面から、第１の機能に対応する設定項目を制限する（ステップＳ１５６）。例えば、制御部２００は、第１の機能が両面印刷機能であり、制限の内容が両面印刷の選択を強制することである場合は、両面印刷の設定項目の選択肢から「なし」を削除し、必ず「なし」以外の選択肢（例えば、「長辺とじ」）が選択されるようにする。その結果、利用者は、片面印刷機能を選択することができず、両面印刷機能の選択が強制される。このように、第１の機能に対応する設定項目から所定の選択肢を削除することにより、機能の選択を強制させたり、機能の選択を不可能にしたり、所定のパラメータだけを選択可能にすることができる。
【００６６】
つづいて、制御部２００は、制限定義データ２４８を読み出し、第１の機能が制限されることにより、連動して制限される機能に対応する設定項目の調整を行う（ステップＳ１５８）。例えば、図６の例では、両面印刷機能の選択を強制する制限がされた場合は、出力用紙サイズタイプのパラメータとして両面印刷できない用紙サイズを設定できなくなったり、製本の設定ができなくなったりするという制限が加わる。したがって、制御部２００は、出力用紙サイズ機能に対応する設定項目から両面印刷できない用紙サイズのパラメータに対応する選択肢を削除したり、製本機能に対応する設定項目を無効化（グレーアウト）したりする。
【００６７】
つづいて、制御部２００は、選択肢定義データ２４６を読み出し、ステップＳ１５６及びステップＳ１５８の処理の結果選択された機能によって、設定が不可能となる設定項目を無効化する（ステップＳ１６０）。例えば、ステップＳ１５６の処理により両面印刷機能が選択される場合には、製本機能やポスター機能に関する設定を不可能にするために、製本やポスターの設定項目をグレーアウトする。
【００６８】
つづいて、制御部２００は、第２の機能に対応する設定項目を有効化する（ステップＳ１６２）。例えば、第２の機能が製本機能である場合、ステップＳ１６０において製本の設定項目が無効化されていても、制御部２００は、製本の設定項目を有効化させる。
【００６９】
つづいて、制御部２００は、利用者によって選択肢が変更されたか否かを判定する（ステップＳ１６４）。選択肢が変更された場合は、制御部２００は、第２の機能が選択されたか否かを判定する（ステップＳ１６４；Ｙｅｓ→ステップＳ１６６）。
【００７０】
第２の機能が選択された場合は、制御部２００は、第１の機能に対応する設定項目の制限を解除する（ステップＳ１６６；Ｙｅｓ→ステップＳ１６８）。例えば、ステップＳ１５６において第１の機能に対応する選択項目から選択肢を削除した場合は、ステップＳ１５６で削除した選択肢を第１の機能に対応する選択項目に追加することで制限を解除する。また、制御部２００は、解除された制限を選択し、その選択を変更不能にする（ステップＳ１７０）。このようにすることで、ステップＳ１６８で解除した制限が選択され続けるようにすることができる。
【００７１】
例えば、第１の機能が両面印刷機能であり、制限の内容が両面印刷の選択を強制することである場合は、ステップＳ１６８において、両面印刷の強制という制限を解除して、片面印刷機能を選択可能にする。そして、ステップＳ１７０において、片面印刷機能を選択して（両面印刷機能を選択しないようにして）、その状態の変更を不能にする。
【００７２】
一方で、ステップＳ１６６において第２の機能が選択されなかった場合は、制御部２００は、ステップＳ１５６と同様の処理により、第１の機能に対応する設定項目を制限する（ステップＳ１６６；Ｎｏ→ステップＳ１７２）。また、第１の機能に対応する設定項目を有効化し、選択肢の変更を可能にする（ステップＳ１７４）。なお、ステップＳ１６６の時点で、既に第１の機能に対応する設定項目に制限が加えられていた場合は、制御部２００は、ステップＳ１７２及びステップＳ１７４の処理をスキップしてもよい。
【００７３】
つづいて、制御部２００は、印刷設定画面から、印刷操作又はキャンセル操作がされたか否かを判定する。印刷操作とは、例えば、印刷設定画面に表示された「印刷」ボタンが利用者によって選択される操作である。また、キャンセル操作とは、例えば、印刷設定画面に表示された「キャンセル」ボタンが利用者によって選択される操作である。印刷操作又はキャンセル操作がされた場合は、制御部２００は印刷設定画面を消去する（ステップＳ１７６；Ｙｅｓ→ステップＳ１７８）。印刷操作又はキャンセル操作がされなかった場合は、制御部２００はステップＳ１６４へ戻る（ステップＳ１７６；Ｎｏ→ステップＳ１６４）。
【００７４】
図９に戻り、制御部２００は、ステップＳ１７６において印刷操作がされたか否かを判定する（ステップＳ１４０）。印刷操作がされた場合は、制御部２００は、プリンタドライバ２４４の機能により、利用者により出力が指示されたデータ（例えば、文章データ）を、画像形成装置３０が画像形成可能な画像データに変換する（ステップＳ１４０；Ｙｅｓ→ステップＳ１４２）。また、制御部２００は、プリンタドライバ２４４の機能により、印刷設定画面で設定された内容を印刷設定情報として、ステップＳ１４２で変換した画像データとともに画像形成装置３０に送信する（ステップＳ１４４）。このようにして、印刷設定画面により選択された機能や、選択された選択肢に対応するパラメータの情報が、画像形成装置３０に送信される。なお、画像形成装置３０は、受信した画像データを画像データ記憶領域３７２に記憶し、印刷設定情報を印刷設定情報記憶領域３７４に記憶する。そして、画像形成装置３０は、印刷設定情報に従って、画像データを出力する処理を実行する。
【００７５】
［１．４  動作例］
［１．４．１  グループポリシー変更画面の動作例］
本実施形態の動作例について説明する。図１１は、グループポリシー変更画面Ｗ１００の例である。グループポリシー変更画面Ｗ１００には、印刷に関する機能について設定が可能な領域Ｅ１００を含む。
【００７６】
領域Ｅ１００には、両面印刷機能の選択を強制する制限に関するグループポリシー「Duplex(Forced)」を設定することが可能な領域Ｅ１０２と、製本機能の設定を許可するグループポリシー「Booklet(Permission)」を設定することが可能な領域Ｅ１０４とが含まれる。利用者は、領域Ｅ１０２から「ＯＮ」又は「ＯＦＦ」の何れかを選択することが可能である。また、利用者は、領域Ｅ１０４から「ＯＮ」又は「ＯＦＦ」の何れかを選択することが可能である。
【００７７】
また、グループポリシー変更画面Ｗ１００には、適用操作を実行するための適用ボタンＢ１００と、終了操作を実行するためのキャンセルボタンＢ１０２とが含まれる。なお、適用操作を実行し、そのままレジストリデータ変更プログラムを終了させるためのＯＫボタンＢ１０４が含まれてもよい。
【００７８】
利用者によって、適用ボタンＢ１００又はＯＫボタンＢ１０４が選択されることにより、サーバ装置１０のレジストリデータ１４２には、グループポリシー変更画面Ｗ１００で設定されたグループポリシーが記憶される。
【００７９】
この動作例では、グループポリシー「Duplex(Forced)」とレジストリデータ１４２の「ForcedDuplex」が対応し、グループポリシー「Booklet(Permission)」とレジストリデータ１４２の「PermissionBooklet」とが対応する。したがって、グループポリシー「Duplex(Forced)」が「ＯＮ」である場合は、レジストリデータ１４２のレジストリキー「PrintSettings」に、「ForcedDuplex=0x00000001(1)」という値が記憶される。グループポリシー「Duplex(Forced)」が「ＯＦＦ」である場合は、レジストリデータ１４２のレジストリキー「PrintSettings」に、「ForcedDuplex=0x00000001(0)」という値が記憶される。同様にして、グループポリシー「Booklet(Permission)」が「ＯＮ」である場合は、レジストリデータ１４２のレジストリキー「PrintSettings」に、「PermissionBooklet=0x00000001(1)」という値が記憶される。グループポリシー「Booklet(Permission)」が「ＯＦＦ」である場合は、レジストリデータ１４２のレジストリキー「PrintSettings」に、「PermissionBooklet=0x00000000(0)」という値が記憶される。
【００８０】
［１．４．２  印刷設定画面の動作例］
図１２は、印刷設定画面Ｗ１２０の画面例である。印刷設定画面Ｗ１２０には、両面印刷機能に対応する設定項目Ｅ１２０と、製本機能に対応する設定項目Ｅ１２２とが含まれる。なお、両面印刷機能と製本機能とは、同時には選択できない機能であるとする。
【００８１】
図１３を参照して、第１の機能も第２の機能も設定されない場合における両面印刷の設定項目と、製本の設定項目との関係を説明する。図１３（ａ）は、両面印刷の設定項目の選択肢と、製本の設定項目の選択肢とを示した図である。印刷設定画面Ｗ１２０が表示された時点では、両面印刷及び製本の設定項目から「なし」が選択される。また、利用者は、印刷設定画面Ｗ１２０において、製本の設定項目から「なし」又は「あり」が選択可能である。
【００８２】
図１３（ｂ）は、両面印刷の設定項目から「長辺とじ」が選択されたときの、製本の設定項目の状態を示す図である。両面印刷機能が選択されているので、製本の設定項目は「なし」が選択された状態でグレーアウト（無効化）し、「あり」を選択することができない。また、図１３（ｃ）は、製本の設定項目から「あり」が選択されたときの、両面印刷の設定項目の状態を示す図である。この場合、製本機能が選択されているので、両面印刷の設定項目は「なし」が選択された状態でグレーアウトし、他の選択肢を選択することができない。このように、両面印刷機能と製本機能とは同時には選択できないため、一方の機能が選択された場合は、他方の機能を選択することができない。
【００８３】
つづいて、図１４は、第１の機能として両面印刷機能が設定され、第２の機能は設定されていない場合における、両面印刷と製本との設定項目の関係を示した図である。両面印刷機能の選択が強制されているため、両面印刷の設定項目から「なし」が削除され、「長辺とじ」又は「短辺とじ」の何れかが選択される。一方で、製本の設定項目は「なし」が選択されたままグレーアウトし、「あり」を選択することができない。このように、利用者は、両面印刷機能の選択が強制される制限に連動して、製本機能が選択できないこととなる。
【００８４】
つづいて、図１５は、第１の機能として両面印刷機能が設定され、第２の機能として製本機能が設定された場合における、両面印刷と製本との設定項目の関係を示した図である。図１５（ａ）は、両面印刷の設定項目の選択肢と製本の設定項目の選択肢とを示した図である。両面印刷機能の選択が強制されているため、両面印刷の設定項目から「なし」が削除され、「長辺とじ」又は「短辺とじ」の何れかが選択されることとなる。一方で、製本機能の設定が許可されていることにより、製本の設定項目が有効化され、「なし」又は「あり」が選択できる。
【００８５】
図１５（ｂ）は、製本の設定項目から「あり」が選択された場合の、両面印刷の設定項目を示す図である。本来であれば、両面印刷機能の選択が強制されているため、両面印刷の設定項目から「なし」を選択することができない。しかし、製本の設定項目から「あり」が選択された場合は、両面印刷機能の制限が解除され、両面印刷の設定項目から「なし」が選択される。そして、そのままグレーアウトされ、変更できないようになる。したがって、製本機能が選択された場合は、両面印刷機能を選択しない（片面印刷機能を選択する）という状態となる。
【００８６】
図１５（ｃ）は、製本の設定項目から「なし」が選択された場合の、両面印刷の設定項目の状態を示す図である。この場合は、両面印刷の設定項目から「なし」が削除され、「長辺とじ」又は「短辺とじ」の何れかが選択される。このようにすることで、製本機能を選択しない場合は、両面印刷機能の選択が強制される。
【００８７】
このように、製本の設定項目が「あり」の場合と、「なし」の場合とが切り替わることにより、両面印刷の設定項目の状態が変わる。これにより、利用者は、両面印刷機能の選択が強制されている場合には本来選択できない製本機能を選択することが可能となる。
【００８８】
なお、上述の説明では両面印刷機能の選択を強制するとして説明したが、これは、片面印刷機能を選択できないようにしたことと同じである。特定の機能に対する制限の内容の解釈は、画像形成装置３０や印刷システム１の設計による。
【００８９】
また、上述した説明では、第１の機能を両面印刷機能とし、第２の機能を製本機能として説明したが、第２の機能は製本機能以外であってもよい。例えば、図６の制限定義データ２４８の例に示すように、両面印刷機能の選択を強制すると、ポスター機能の選択や、出力用紙として選択できる用紙サイズが制限される。これに対して、ポスター機能や、出力用紙サイズの選択機能を第２の機能としてもよい。
【００９０】
例えば、第２の機能をポスター機能とした場合は、制御部２００は、ステップＳ１６２において、ポスターの設定項目を有効化する。そして、利用者によってポスター機能が選択されたとき（選択肢から「あり」が選択されたとき）は、制御部２００は、両面印刷の設定項目から「なし」を選択してグレーアウトすればよい。
【００９１】
また、第２の機能を出力用紙サイズの選択機能とした場合は、制御部２００は、ステップＳ１６２において、出力用紙サイズの設定項目の選択肢に、両面印刷できない用紙サイズを追加する。そして、利用者によって両面印刷できない用紙サイズが選択されたときは、制御部２００は、両面印刷の設定項目から「なし」を選択してグレーアウトすればよい。
【００９２】
また、本実施形態では、印刷設定画面において利用者がパラメータを選択することが可能リストを配置し、リストに含まれるパラメータを削除する方法により制限を加える例を説明したが、このような方法以外の方法によって制限を加えてもよい。例えば、機能に対して設定できるパラメータをラジオボタンによって選択できるようにし、制限を加える場合は、ラジオボタンの中から選択不可能とするラジオボタンをグレーアウトさせたり、非表示させたりしてもよい。また、リストを用いる場合であっても、制限を加える場合は、利用者が選択可能なパラメータを選択した状態でグレーアウトさせてもよい。すなわち、ユーザに対して、選択が強制された機能を選択されるようにしたり、不選択が強制された機能を選択できないようにしたり、特定のパラメータのみが選択できるようにしたりできればよい。
【００９３】
また、本実施形態では、Ａｃｔｉｖｅ  Ｄｉｒｅｃｔｏｒｙ機能を用いてグループポリシーをレジストリに記憶し、サーバ装置１０から端末装置２０に適用することとして説明したが、上述以外の方法でサーバ装置１０から端末装置２０に設定を適用してもよい。すなわち、第１の機能と第２の機能とがサーバ装置１０で設定され、端末装置２０に適用できる技術であれば、どのような技術を用いてもよい。例えば、サーバ装置１０から端末装置２０に対して、第１の機能と第２の機能とを示した設定ファイルやデータストリームを送信してもよい。
【００９４】
また、上述した実施形態は、情報処理装置を端末装置に適用した場合について説明したが、画像形成装置に適用することとしてもよい。例えば、画像形成装置３０に対して第１の機能と第２の機能とを設定し、操作パネルに印刷設定画面を表示し、図１０に示した印刷設定表示処理と同様の処理を実行してもよい。また、画像形成装置３０は、端末装置２０から印刷設定情報受信した後に、ステップＳ１６６〜ステップＳ１７０の処理を実行してもよい。すなわち、印刷設定情報として第２の機能が選択されたときに、画像形成装置３０は、第１の機能の制限を解除して、第２の機能に基づく処理を実行してもよい。
【００９５】
本実施形態によれば、第１の機能が制限された場合に本来選択ができない機能であっても、第２の機能を選択されたときには制限を解除することができる。第１の機能の制限により、本来では選択できない第２の機能が選択できるため、利用者に対して第１の機能又は第２の機能の何れかを選択させることが可能となる。
【００９６】
［２．第２実施形態］
つづいて第２実施形態について説明する。第２実施形態は、第１実施形態と異なり、第１の機能が両面印刷機能以外の場合についての実施形態である。本実施形態では、第１の機能をページ集約機能とし、第２の機能をポスター機能として説明する。本実施形態は、第１実施形態の図５を図１６に、図６を図１７にそれぞれ置き換えたものである。なお、同一の機能部及び処理には同一の符号を付し、説明については省略する。
【００９７】
本実施形態の選択肢定義データ２４６を図１６に示す。図１６に示すように、ページ集約機能を選択する場合はポスター機能の設定はできず、ポスター機能を選択する場合はページ集約機能の設定はでない。すなわち、ページ集約機能とポスター機能とは同時には選択できない。
【００９８】
本実施形態の制限定義データ２４８を図１７に示す。図１７に示すように、ページ集約機能の選択を強制すると、ズーム機能、ポスター機能、章分け機能に対する設定ができない。また、オーバーレイ−印刷方法機能のパラメータとして「ページ挿入」の選択ができず、原稿サイズ機能のパラメータとして「長尺」の選択ができなくなる。
【００９９】
このような場合において、ページ集約とポスターとの設定項目の関係を、図を参照して説明する。図１８（ａ）は、第１の機能も第２の機能も設定されていない場合における、ページ集約機能とポスターとの選択肢を示した図である。この場合は、印刷設定画面Ｗ１２０が表示された時点では、ページ集約及びポスターの設定項目の選択肢は、いずれも「なし」が選択される。また、利用者は、ポスターの設定項目から、「なし」又は「あり」が選択可能である。
【０１００】
図１８（ｂ）は、ページ集約機能を選択することを示す選択肢（例えば、「２  ｉｎ  １」）が選択された場合の、ポスターの設定項目の状態を示す図である。ポスターの設定項目は「なし」のままグレーアウトし、他の選択肢を選択することができない。図１８（ｃ）は、ポスター機能を選択することを示す選択肢（例えば、「２ｘ２」）が選択された場合の、ページ集約の設定項目の状態を示す図である。ページ集約の設定項目は「なし」のままグレーアウトし、他の選択肢を選択することができない。
【０１０１】
図１９は、第１の機能としてページ集約機能が設定されているが、第２の機能が設定されていない場合における、ページ集約とポスターとの設定項目の関係を示した図である。ページ集約機能の選択が強制されているため、ページ集約の設定項目から「なし」が削除される。一方で、ポスターの設定項目は「なし」が選択されたままグレーアウトし、変更することができない。したがって、ページ集約機能の選択が強制される制限に連動して、利用者はポスター機能が選択できないこととなる。
【０１０２】
図２０は、第１の機能としてページ集約機能の選択が設定され、第２の機能としてポスター機能が設定されている場合における、ページ集約とポスターとの設定項目の関係を示した図である。図２０（ａ）は、ページ集約の設定項目の選択肢と、ポスターの設定項目の選択肢を示した図である。ここで、ページ集約機能の選択が強制されているため、ページ集約の設定項目から「なし」が削除される。一方で、ポスター機能の設定が許可されていることにより、ポスターの設定項目が有効化され、「なし」や「２ｘ２」といった選択肢が選択可能となる。
【０１０３】
図２０（ｂ）は、ポスターの設定項目から「２ｘ２」が選択された場合の、ページ集約の設定項目を示す図である。ページ集約機能の選択が強制されているため、本来であれば、ページ集約の設定項目として「なし」を選択することができない。しかし、ポスターの設定項目から「２ｘ２」が選択された場合は、ページ集約の設定項目から、削除された「なし」が選択され、グレーアウトされ、変更できないようになる。
【０１０４】
図２０（ｃ）は、ポスターの設定項目から「なし」が選択された場合のページ集約の設定項目の状態を示す図である。この場合は、ページ集約の設定項目から「なし」が削除され、「２  ｉｎ  １」又は「４  ｉｎ  １」の何れかが選択できるようになる。このようにすることで、ポスター機能を選択しない場合は、ページ集約機能の選択が強制される。
【０１０５】
なお、上述した説明では、第１の機能をページ集約機能とし、第２の機能をポスター機能として説明したが、第２の機能はポスター機能以外であってもよい。例えば、図１７に示すように、ページ集約機能の選択を強制すると、ズーム機能等が制限される。このような場合に、第２の機能としてズーム機能が設定され、利用者によってズーム機能の選択がされたときは、制御部２００は、ページ集約の設定項目から「なし」を選択してグレーアウトすればよい。
【０１０６】
本実施形態によれば、ページ印刷機能以外の機能が第１の機能として設定された場合であっても、第２の機能が選択されたときには制限を解除することができる。
【０１０７】
［３．第３実施形態］
つづいて第３実施形態について説明する。第３実施形態は、第１実施形態と異なり、第２の機能が選択されることで第１の機能の制限を解除したときに、制限された機能を選択するか否かを選択可能な実施形態である。本実施形態は、第１実施形態の図１０を図２１にそれぞれ置き換えたものである。なお、同一の機能部及び処理には同一の符号を付し、説明については省略する。
【０１０８】
図２１を参照して、本実施形態における印刷設定画面表示処理を説明する。本実施形態では、制御部２００は、ステップＳ１６４において選択肢が変更されたと判定したときに、第２の機能が選択されたか否かを判定する（ステップＳ１６４；Ｙｅｓ→ステップＳ１６６）。
【０１０９】
第２の機能が選択された場合は、制御部２００は、第１の機能の制限を解除する（ステップＳ３０２；Ｙｅｓ→ステップＳ１６８）。例えば、制御部２００は、ステップＳ１５６で削除した選択肢を追加したりする。なお、第１実施形態と異なり、本実施形態では、制御部２００は、ステップＳ１６８で追加された選択肢を選択したり、変更不可能にしたりする処理を実行しない。このようにすることで、利用者に対して、第１の機能を選択するか否かを設定可能にする。
【０１１０】
一方で、第２の機能が選択されなかった場合は、ステップＳ１５６と同様の処理により、第１の機能に対応する設定項目に制限を加える（ステップＳ１６６；Ｎｏ→ステップＳ１７２）。このようにすることで、ステップＳ１６８の処理による制限の解除が取り消される。
【０１１１】
図を参照して具体例を説明する。具体例として、第１の機能はカラーモード機能であり、制限の内容はパラメータとして「モノクロ」の選択を強制するものであるとする。また、第２の機能は、「はがきサイズの用紙を出力する」機能であるとする。
【０１１２】
図２２は、第１の機能も第２の機能も設定されていない場合におけるカラーモードの設定項目と出力用紙サイズの設定項目との選択肢を示した図である。図２２に示すように、カラーモードの設定項目から「モノクロ」又は「カラー」が選択できる。また、出力用紙サイズの設定項目から「Ａ４」「Ｂ５」「はがき」が選択できる。
【０１１３】
図２３は、第１の機能がカラーモード機能とし、第２の機能が「はがきサイズの用紙を出力する」機能と設定された場合におけるカラーモードの設定項目と出力用紙サイズの設定項目との選択肢を示した図である。
【０１１４】
図２３（ａ）は、出力用紙サイズの設定項目として「Ａ４」が選択された場合について示した図である。このとき、第２の機能である「はがきサイズの用紙を出力する」機能が選択されていないため、第１の機能に対応する選択項目であるカラーモードから、「モノクロ」以外のパラメータ、すなわち、「カラー」に対応する選択肢が削除される。したがって、利用者は、出力用紙サイズがＡ４である場合、カラーの出力ができない。
【０１１５】
図２３（ｂ）は、出力用紙サイズの設定項目として「Ｂ５」が選択された場合について示した図である。このときも、第２の機能である「はがきサイズの用紙を出力する」機能が選択されていないため、第１の機能に対応する選択項目であるカラーモードから、「カラー」が削除される。
【０１１６】
図２３（ｃ）は、出力用紙サイズの設定項目として「はがき」が選択された場合について示した図である。このとき、第２の機能である「はがきサイズの用紙を出力する」機能が選択されているため、第１の機能の制限を解除される。具体的には、カラーモードの設定項目に、「モノクロ」以外のパラメータに対応する選択肢、すなわち、「カラー」が追加される。この結果、利用者は、カラーモードの設定項目から、「カラー」又は「モノクロ」を選択することが可能となる。
【０１１７】
本実施形態によれば、利用者は、所定の機能が選択することで制限された機能を解除することができ、さらに、制限されていた機能を選択するか否かを選択することができる。
【０１１８】
［４．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１１９】
また、上述した実施形態は、説明の都合上、それぞれ別に説明している部分があるが、技術的に可能な範囲で組み合わせて実行してもよいことは勿論である。
【０１２０】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤ等の記憶装置に格納され、必要に応じてＣＰＵによって読み出し、修正・書き込みが行なわれる。
【０１２１】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ（Blu-ray Disc）（登録商標）等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１２２】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１２３】
１  印刷システム
１０  サーバ装置
１００  制御部
１１０  表示部
１２０  操作入力部
１３０  通信部
１４０  記憶部
１４２  レジストリデータ
１４４  グループポリシー変更プログラム
１４６  グループポリシー適用プログラム
２０  情報処理装置
２００  制御部
２１０  表示部
２２０  操作入力部
２３０  通信部
２４０  記憶部
２４２  レジストリデータ
２４４  プリンタドライバ
２４６  選択肢定義データ
２４８  制限定義データ
３０  画像形成装置
３００  制御部
３１０  画像入力部
３２０  画像処理部
３３０  画像形成部
３４０  表示部
３５０  操作入力部
３６０  通信部
３７０  記憶部
３７２  画像データ記憶領域
３７４  印刷設定情報記憶領域
【図１】
2020194510.tif 000003
【図２】
2020194510.tif 000004
【図３】
2020194510.tif 000005
【図４】
2020194510.tif 000006
【図５】
2020194510.tif 000007
【図６】
2020194510.tif 000008
【図７】
2020194510.tif 000009
【図８】
2020194510.tif 000010
【図９】
2020194510.tif 000011
【図１０】
2020194510.tif 000012
【図１１】
2020194510.tif 000013
【図１２】
2020194510.tif 000014
【図１３】
2020194510.tif 000015
【図１４】
2020194510.tif 000016
【図１５】
2020194510.tif 000017
【図１６】
2020194510.tif 000018
【図１７】
2020194510.tif 000019
【図１８】
2020194510.tif 000020
【図１９】
2020194510.tif 000021
【図２０】
2020194510.tif 000022
【図２１】
2020194510.tif 000023
【図２２】
2020194510.tif 000024
【図２３】
2020194510.tif 000025